Podtech/llm-jp-corpus-v4-ja_patent huggingface dataset:
(57)【要約】【課題】したがって、数枚を重ねた、便器まわりの使い捨て取替シートの商品を調べたが該当する物が無かった。本発明は、ご利用者宅において「そういう便利なシートがあれば買いたい」という生の声もあり、ニーズに応える為解決しようとしたものである。【解決手段】紙は三層にし、紙の表面は、飛散した糞尿が一目瞭然に判るように汚れが変色する材質を用い、表面を凹凸に仕上げる▲１▼。吸水性のある材質とする▲２▼。防水シートにし、下のシートにしみないようにする▲３▼。▲１▼の紙と▲３▼の防水シートの間に両面粘着テープを使用する▲４▼為、▲１▼と▲３▼は容易に剥がせる。数枚重ねの、下面部の防水シート部分にも両面粘着テープを付け床に固定させる▲５▼。【選択図】図１
2005177410.tif 000002
【特許請求の範囲】
【請求項１】
（イ）１は、紙の表面を凹凸にし、飛散した尿が一目でわかるように汚れが変色し、尿がしみないものとする。
（ロ）２は、超吸収性があるものにする。
（ハ）３は、防水のビニール製のシートにする。
（ニ）４の両面テープは、防水シートと、凹凸のある表面の紙との間に用いる
（ホ）５のテープは、取替シートの一番下の防水シートのした、７箇所につける。そうすることにより、【トイレ床取替シート】がずれないで固定できる。
【請求項２】
一枚の取替シートを数枚重ねたものであるから、上のシートを剥がしても瞬時に新しいシートになるため、楽であり、使い捨てなので、洗濯の手間もかからない。
また、ご老人だけで生活をされている方には特にお勧めできる用品です。
【発明の詳細な説明】
【技術分野】
【０００１】訪問介護職員として、何軒もの御利用宅に伺った時、便器まわりに新聞紙が置かれた状態を見て、この発明が考えられた。
便器まわりの糞尿の飛散の片付けをより早く行ない、瞬時に２枚目のシートも汚れていない、清潔なシートに取り替えることができれば身体が不自由になってきているご老人には必需品と考えられる。
【背景技術】
【０００２】数枚、それぞれを瞬時に剥がすことにより、元の清潔なシートになる
便器まわりの商品は、販売されていない。
【発明の開示】
【発明が解決しようとする課題】
【０００３】したがって、数枚重ねた、便器まわりの取替シートの商品を調べたが、該当する物が無かった。
本発明は、ご利用者宅において「そういう便利なシートがあれば買いたい」という生の声もあり、ニーズに応える為解決しようとしたものである。
【課題を解決するための手段】
【０００４】（イ）紙は三層にし、紙の表面は、飛散した糞尿が一目瞭然に判るように汚れが変色する材質を用い、表面を凹凸に仕上げる１。
（ロ）吸水性のある材質とする２。
（ハ）防水シートにし、下のシートにしみないようにする３。
（ニ）１の紙と３の防水シートの間に両面粘着テープを使用する４。
（ホ）数枚重ねの、下面部の防水シート部分にも両面粘着テープを付け床に固定させる５。
【発明の効果】
【０００５】便器まわりに合わせ、新聞紙をしきつめるには腰の曲がったご老人には大変つらい姿勢であり、瞬時にはがせる清潔なシートは、高齢者が高齢者の世話をせざるを得ない状況下や、片麻痺で不自由さを感じている者にとっても必要な発明と考えられる。
【発明を実施するための最良の形態】
【０００６】  従来のこれらの欠点を考え、この
【トイレ床取替シート】
が考えられた。
一枚、一枚それぞれを三層にし、１の紙の表面は、飛散した糞尿が一目瞭然に判るように、汚れが変色する材質を用い、表面を凹凸に仕上げる。
２は、吸水性ある材質とし、３は、防水シートにし、下にしみないようにする。
４は、両面粘着テープを使用し、３の防水シートと、１の紙の間に設ける
上部の一枚を剥がした時、その両面粘着テープは、３の防水シート側に付くので、１の紙はベタつきが無く快適である。
ワンセットにした、一番下のシート３に貼り付けた両面粘着テープは、５のように取り付けることにより、ズレを防ぎ、固定させる。
【実施例】▲１▼紙の表面を凹凸にしたことにより、シートとシートの間の両面テープは▲３▼の防水シート側に附着したままなので、剥がし易い。
【産業上の利用可能性】今、現在において未だ該当する商品が無い。
今後、ますます高齢化の上昇の伴い、高齢者が高齢者の世話をせざるを得ない事は明らかな現状下において、ニーズにあった発明と考えられる。
【図面の簡単な説明】
【図１】トイレ床取替シートの断面図である。
【符号の説明】
１．紙の表面を凹凸にしたシート
２．吸水性のある材質のもの。
３．防水シート
４．両面粘着テープ
５．個定両面粘着テープ
【図１】
2005177410.tif 000003
(57)【要約】      （修正有）【課題】プリザーブドフラワー等の水を必要としない長期保存が可能な花のアレンジメントの花器と小物入れを一体にした器を提供する。【解決手段】同型の花器１、花器２を２段に重ね、布軸を花器の端に取り付けることによって、開閉式になり、プリザーブドフラワーアレンジメントの花器と小物入れ7が一体となった。【選択図】図５
2005177401.tif 000002
【特許請求の範囲】
【請求項１】
プリザーブドフラワー等、水を必要としない長期保存がきく花のアレンジメントにおける２個の同型花器（参照１）を２段に重ね、端３に布軸４をに取付けることによって、開閉式になり、花のアレンジメントと小物入れが一体化した花器。
参照１
ベルベット等布でできている箱やガラスの器、木の箱等様々な素材・形のもの。
【発明の詳細な説明】
【技術分野】
【０００１】  本発明はプリザーブドフラワー等の水を必要としない長期保存できる花のアレンジメントと小物入れとを一体で使用することを可能にした花器に関する。
【背景技術】
【０００２】  プリザーブドフラワー等の水を必要としない長期保存できる花のアレンジメントにおいて、従来は小物入れ付きの２段式花器は無かった。
【発明の開示】
【発明が解決しようとする課題】
【０００３】  プリザーブドフラワー等の水を必要としない長期保存ができるき花のアレンジメントはその特徴から、インテリアとして、またギフトやウェディング等での需要が多いが、花のアレンジメントと小物や菓子類等を同時に必要とする場合、別々の２つ以上の容器を利用するしかなく、持ち運びに嵩張ってしまってい、かつ設置スペースも取ってしまう。
【課題を解決するための手段】
【０００４】  本発明に使用する同型の花器１、花器２を２段に重ね、布軸４を花器の端３に図３のように取付ける。
【発明の効果】
【０００５】  本発明により、図４のプリザーブドフラワー５、プリザーブドリーフ６等のアレンジメントと、図５の小物入れ７とが一体になり、１つの容器で２つの利用法が可能となった。さらに、持ち運びの便利さや設置スペース削減もできる。
【発明を実施する為の最良の形態】
【０００６】  プリザーブドフラワー等の水を必要としない花のアレンジメントに使用する為の同型花器（ベルベット等布でできている箱やガラスの器、木の箱等様々な素材・形のもの）を２個用意する。花器の端３に布軸４を取付け、図４、図５のような開閉可能な花器形態にする。
【産業上の利用可能性】
【０００７】  本発明はフラワー業界、インテリア業界、飲食業界の各種産業で利用可能である。
【図面の簡単な説明】
【０００８】
【図１】本発明に使用する花器２個を示した斜視図である。
【図２】本発明に使用する布軸の正面図である。
【図３】本発明の断面図である。
【図４】本発明にプリザーブドフラワーアレンジメントを活けた例の斜視図である。
【図５】本発明の開閉時斜視図である。
【符号の説明】
【０００９】  １  花器
２  花器
３  端
４  布軸
５  プリザーブドフラワー
６  プリザーブドリーフ
７  小物入れ
【図１】
2005177401.tif 000003
【図２】
2005177401.tif 000004
【図３】
2005177401.tif 000005
【図４】
2005177401.tif 000006
【図５】
2005177401.tif 000007
(57)【要約】【課題】  フィット感やソフト感が十分に得られ、且つ縫着部分を表出させずにシンプルな仕上がりで美観に優れたソフトスリッパを提供する。【解決手段】  帯生地の一方端部と表生地及び底生地との縫着位置において芯材挿入口を形成し、芯材挿入後に当該挿入口を縫合閉塞したことを特徴とする。【選択図】  図１
2005177407.tif 000002
【特許請求の範囲】
【請求項１】
帯生地の一方端部と表生地及び底生地との縫着位置において芯材挿入口を形成し、芯材挿入後に当該挿入口を縫合閉塞したことを特徴とするソフトスリッパ。
【発明の詳細な説明】
【技術分野】
【０００１】  本発明は、居室等にて使用する履き心地の良い且つ美観性に優れたソフトスリッパに関するものである。
【背景技術】
【０００２】  一般にソフトスリッパと呼ばれるスリッパは、フィット感や軽さ等の履き心地の面を重視し、又、見た目にも外観上シンプルな作りとなる工夫が施されている。すなわち、先ず表生地と底生地を裏返した状態で周縁部同士を縫着していき、同時に帯生地（又は爪皮生地）の端部も一緒に縫着する。この際、帯生地（又は爪皮生地）は表生地と底生地の間に内在する状態で端部縫着していく。尚、この時、表生地と底生地の踵部分のみは縫着しないでおく。次に、これを捲り返して図３の如く、表生地１１及び底生地１２の表面側が表出し、帯生地１３も表出し、踵部分において芯材の挿入口１４が開口する状態を作り上げる。後は、挿入口１４から芯材を挿し入れて、挿入口部分を縫い合わせて閉じれば良い。このようにして完成したソフトスリッパは、軽量であって柔軟な芯材によって足の動きにフィットしやすく極めて履き心地に優れたものとなり、踵部以外は縫着部分が隠れてしまうシンプルな外観をなしたものとなっている。
【発明の開示】
【発明が解決しようとする課題】
【０００３】  しかしながら、上記ソフトスリッパの場合、踵部を芯材挿入口としている為、折角、他の縫着部分は奇麗に隠す工夫がなされているにもかかわらず、最終的に当該踵部を縫い合わせなければならず、柔らかい素材の表生地及び底生地の縫着であるために奇麗な仕上がりは望めず、全体的にも大きく美観を損なうものであった。【０００４】  本発明は上記の点に鑑みなされたものであって、フィット感やソフト感が十分に得られ、且つ縫着部分を全て表出させず、見た目にもシンプルな仕上がりで優れた美観を奏させるソフトスリッパを提供することを目的とする。
【課題を解決するための手段】
【０００５】  上記目的を達成するための本発明のスリッパは、帯生地の一方端部と表生地及び底生地との縫着位置において芯材挿入口を形成し、芯材挿入後に当該挿入口を縫合閉塞したことを特徴とするものである。
【発明の効果】
【０００６】  本発明は、縫合閉塞した芯材挿入口の縫い目は帯生地の裏面側の最下端にあって、外部からは全く見えない状態となり、シンプルな作りで優れた美観を奏させるものとなり、無論、履き心地への影響も皆無であって心地よいソフト感が得られ、その商品的価値は非常に高いものとなる。
【発明を実施するための最良の形態】
【０００７】  柔らかい素材の生地及び芯材によって構成されるソフトスリッパにおいて、既存では考えられなかった芯材挿入口の位置に着目し、実用性、美観性に優れたスリッパの提供を可能とした。【０００８】  図１は本発明の一実施例を示す斜視図、図２は芯材挿入口部分を示す斜視図である。【０００９】  図面において、１は表生地、２は底生地であって、周縁部同士を縫着して内部に芯材５を収容しスリッパ本体の台部分（底部分）を形成ならしむ部材である。尚、芯材５を収容する際には周縁部の縫い付け部分が表出しないように予め表生地１と底生地２を裏返した状態で周縁部同士を後述する所要箇所を除いて縫着していき、同時に帯生地３の端部も一緒に縫着するが、後述する所要箇所部分においては底生地２とは縫着し、表生地１とは縫着しない状態とする。縫着しない所要箇所は、後で芯材５を挿し入れる為の芯材挿入口４となる箇所であり、帯生地３の一方端部と表生地１との接合部であって両端を除いた箇所である。つまり、裏返して縫着した生地を捲り返した状態が図２の如くなるように縫着するものとする。尚、所要箇所において逆に表生地１とは逢着し、底生地２とは縫着しない状態として芯材挿入口４を形成することも可能である。【００１０】  図２で示す状態としたら芯材挿入口４から芯材５を該芯材を曲げたりしながら内部に確りと挿し入れていき、挿入したら挿入口部分を縫合閉塞する。これを捲り返すと図１で示した本スリッパが出来上がるものであり、縫合した挿入口部分は外からは全く視認することは出来ず、その他の縫着部分も全て内側（芯材収容側）に位置するから、スッキリとした外観が得られ、従来品には無かった美観を発揮し得るものとなった。【００１１】  芯材５は、軽量であって可撓性に優れ弾力性にも富んだ樹脂系芯材が適しているが、これに限定されるべきものでなく、本スリッパを構成し得るものであれば良く、ソフトスリッパとして実用可能な素材であれば構わない。又、表生地１は、履き心地等を考慮して起毛したりすることも有効であり、底生地２に耐久性を持たせる為の保護材を重着させるといったことも効果的といえる。
【産業上の利用可能性】
【００１２】  本発明のスリッパは、帯タイプのスリッパだけでなく爪皮タイプのスリッパにも応用出来、その利用価値は極めて高い。
【図面の簡単な説明】
【００１３】
【図１】  本発明の一実施例を示す斜視図。
【図２】  本発明の芯材挿入口部分を示す斜視図。
【図３】  従来ソフトスリッパの芯材挿入口部分を示す斜視図。
【符号の説明】
【００１４】  １  表生地
２  底生地
３  帯生地
４  芯材挿入口
５  芯材
【図１】
2005177407.tif 000003
【図２】
2005177407.tif 000004
【図３】
2005177407.tif 000005
(57)【要約】【課題】  電源を必要とせず、周囲の電界を安定化することを目的とする。低コストかつ簡易な構造で再現性の高い方法の実現。【解決方法】  連続した電界容量を持つ様に複数のコイルを平行に配置することで、共振特性を広範囲に設けることで、周囲の電界を直接変換し作用させる。【選択図】  なし【特許請求の範囲】
【請求項１】
金属もしくは樹脂を主体とするコイル。
【請求項２】
平面状に構成される請求項１に記載のあるコイル。
【請求項３】
電源を直接的に必要としない請求項２に記載のあるコイル。
【請求項４】
請求項３に記載のあるコイルの周辺の電位・電界に対して能動的に作用するコイル。
【請求項５】
請求項４に記載のある、静電容量を持つコイル。
【発明の詳細な説明】
【発明の明細な説明】
【技術分野】
【０００１】本発明は空間に存在する電荷に対して作用するコイル及びその製造技術の範躊に属し、少なくともコイルにより空間の電荷を希望する電位・電界に整えることができる技術に関するものである。
【背景技術】
【０００２】コイルに直接的に電流を通じると周囲の電界が変化し、電波として通信でき、磁界を生じることで電磁石として作用することは知られている。また電界から電流を取り出せることは周知の事実である。また磁石を使用し生物の皮膚表面に設置することで生体電位を調整できることは周知の事実である。
【発明が解決しようとする課題】
【０００３】コイルを使用し電界を変化させるものは別に電源を必要とする。また磁石を使用したものは、磁界が固定的であり、経時的で能動的に電界を調整することが困難である。
【課題を解決するための手段】
【０００４】生体電位及び空間の電位・電界をコイルにより捉え、また輻射することで希望する電界を実現する。その適正な力量をコイルの形状で調整を可能とする。このときコイルの材質、長さ、巻き数、使用する線の本数が重要である。
【０００５】次に本発明の作用を説明する。請求項１から５の構成により、容易に空間の電位の安定化を得られる。
【０００６】一般的にコイルはコンデンサーとともにＬＣ回路を構成し、そのコイルのインダクタンスとコンデンサーの容量から特定の周波数の電界に共振する。
【０００７】本発明では、２本以上のそれぞれが独立したコイルを配置することでコイル間に連続した静電容量を発生させ、広範囲の周波数の電界に対し作用して電解を平衡化することを可能とした。
【０００８】一般に設定した周波数以下の電界を通過させるＬＰＦ（ローパスフィルター）回路の等価回路は図１のようになる。この回路ではコイルの両端にコンデンサーを接続した形となる。本発明のコイルの等価回路を図２に示す。
【０００９】即ち、本発明のコイルでは、周囲の電界の変化によりその電荷を蓄積し、電界の変化に対応し電荷を放出することで電荷を平衡化し安定させるものである。
【発明を実施するための最良の形態】
【００１０】本発明の実施の形態を以下に説明するが、本発明はこれに限定されるものではない。本発明のコイルは銅・鉄・アルミニウ厶などの導体やベークライト・エボナイトなど電荷を蓄積する線状の素材を使用する。素材の表面は電子伝導性が無い様に絶縁体で覆われていることが望ましい。【００１１】線状の素材の太さは作用する電界の強度に関係するが、０．１ｍｍ〜６ｍｍまでが望ましい。【００１２】線状の素材を１本もしくは複数を平行に図３のように平面状に巻く。巻き数は１０周以上１００周以下が望ましい。
巻き方は楕円・多角形でも作用するが、作用する電界の周波数を広範囲にするには真円に近く巻く事が望ましい。【００１３】平面状の形状を保持するため、導電性の無い素材で支持することが望ましい。
【実施例】
【００１４】次に、本発明を実施例、比較例を挙げて具体的に説明するが、本発明はこれに限定されるものではない。【００１５】（実施例１）
市販エナメル線１．６ｍｍφの物で１．９ｍを３本、図４のように平行になるように１４．５周巻いたコイルを１２個作成した。【００１６】これをフジプラ株式会社製Ａ４タイプのラミネーターで１個づつラミネートした。【００１７】同様に１．６ｍｍ厚で直径６０ｍｍの円形の銅版をラミネートしたものを１２個作成した。
これらを外部から見えないように木綿製の生地を袋状にしたものに入れ、血流障害のある２０〜４０代の女性６人に対し背中に２個、腰に２個装着してもらい、体感試験を行った。【００１８】コイルを使用した３名と銅版を使用した３名に２日間、日常生活をしてもらい、その後１日置いてコイルと銅版を入れ替え体感の結果を１０回繰り返したところコイルを使用した３名が体温上昇を自覚し優位性を得た。【００１９】試験後２日経過した後、体感試験の６名に日本アビオニクス製の赤外線カメラで顔面・手の表面の温度変化を確認したところ、コイルの使用時には、未使用及び銅版のものと比較して測定開始後２０分で平均０．８℃の温度上昇を確認できた。【００２０】（実施例２）
電磁波の発生源として米国ＨＥＷＬＥＴＴ  ＰＡＣＫＡＲＤ  １６５２Ｂを２０ＭＨｚの方形波の発生源として、２回巻きのコイルを出力装置として実施例１で作成したコイルから１ｃｍ離れたところに設置。ＭＥＴＥＸ社製ＭＳ−１２８０に２回巻きのコイルを測定端子として、出力装置のコイルの反対側１ｃｍのところで測定端子の波形を取り込んだ。【００２１】また同様の測定で、コイルを取り除いた状態で測定端子の波形を取り込んだ。
それぞれの波形をフーリエ変換し差を求めたところ、４〜１２Ｈｚの成分の強さが、コイルを使用した場合、コイルを取り除いた状態に比べ、２０％強くなっていることが観測された。【００２２】周波数４〜７Ｈｚは人体の脳波ではシータ波と呼ばれ熟睡と起床の中間に見られる周波数であり、また８〜１３Ｈｚはアルファー波と呼ばれリラックスしている状態に見られる周波数として知られている。【００２３】したがって、人体の周囲の電界から人体の環境に良い電界を発生すると考えられる。【００２４】（実施例３）
三菱社製カラーテレビ２１Ｃ−ＦＫ１を受信状態にして、画面から２０ｃｍ離れたところで、アンデス電気社製ｉｎｔｉ空気イオンカウンターで測定したところ、プラスイオン値が２４３．０であり、マイナスイオン値が１０．２であったが、実施例１で作成したコイルを３個画面から１０ｃｍ離れたところに設置し、測定したところプラスイオン値が５２．１、マイナスイオン値が１８３．２となった。【００２５】このように本発明のコイルを使用することで直接的なエネルギーを必要とせず、環境改善できることがわかる。
【図面の簡単な説明】
【図１】  ＬＰＦ回路の等価回路例
【図２】  本発明のコイルの等価回路
【図３】  本発明のコイルの形状模式図
【図４】  本発明のコイルの実施例での形状模式図
【図１】
2005177402.tif 000002
【図２】
2005177402.tif 000003
【図３】
2005177402.tif 000004
【図４】
2005177402.tif 000005
(57)【要約】      （修正有）【課題】片刃片柄小刀は、利き手で小刀を選択必要がある、無理して逆刃の小刀を使用すると刃が滑り危険である。【解決手段】両柄にすることで、柄を持ち変えるとどちら利きの者でも使用可能になる。【選択図】図３
2005177408.tif 000002
【特許請求の範囲】
【請求項１】
小刀は、左利き、右利きに区別され、使用者により小刀の選択の必要がある。左利き、右利きどちらの者でも使用できる小刀があれば便利である。
【請求項２】
片刃小刀の両端に柄を付けることにより、左利き、右利きどちらの者も使用可能である。工作など作業において、両手での使用可能で便利である。
【発明の詳細な説明】
【技術分野】
【０００１】  木工，竹細工用用具【０００２】  従来の小刀であれば多数の者が作業する場合、それぞれ左利き、右利きの人数を確認し、その人数分用意する必要であったがこの小刀は参加者の参加人数分の数だけでよい．【０００３】  刃の先端を鋭角にすることで細かい作業を容易にする。【０００４】  両方の柄を刃の面に対して１０度傾けることで刃の先端の使用時柄の障害を少なくする。
【図１】
2005177408.tif 000003
【図２】
2005177408.tif 000004
【図３】
2005177408.tif 000005
【図４】
2005177408.tif 000006
【図５】
2005177408.tif 000007
【手続補正書】
【提出日】平成16年3月8日(2004.3.8)
【手続補正１】
【補正対象書類名】明細書
【補正対象項目名】全文
【補正方法】変更
【補正の内容】
【発明の詳細な説明】
【技術分野】
【０００１】  木工、竹細工用用具【０００２】  従来の小刀であれば多数の者が作業する場合、それぞれ左利き、右利きの人数を確認し、その人数分用意する必要であった、この小刀は参加者の参加人数分の数だけでよい。【０００３】  刃の先端を鋭角にすることで細かい作業を容易にする。【０００４】  両方の柄を刃の面に対して１０度傾けることで刃の先端の使用時柄の障害を少なくする。
【図面の簡単な説明】
【０００５】
【図１】      刃物の金属部分の平面図
【図２】      金属部分の柄の取り付け部分と胴の傾き図  注    Ｃ  柄の取り付け部分
【図３】      図１に木の柄を取り付けた平面図
【図４】      図２に木の柄を取り付けた図
【図５】      柄側からの側面図
(57)【要約】【課題】髪の毛をアイロンパーマする際に熱や煙が髪の毛にこもり熱く、作業者が息を吹きかけ熱や煙を吹き飛ばしていて作業者の負担がすごかった。【解決手段】アイロンパーマ加熱ヒーター部根元に空気吹き出し口を設け、内蔵されたファンにより空気が吹き出す。【選択図】図２
2005177416.tif 000002
【特許請求の範囲】
【請求項１】
加熱部ヒーター根元に空気吹き出し口を設け、吹き出しファンを内蔵したことを特徴とするヘアーアイロン
【発明の詳細な説明】
【技術分野】
【０００１】  この発明は、理美容のパーマに用いるヘアーアイロンに関する。
【背景技術】
【０００２】従来は、ヘアーアイロンにて髪の毛を巻いて加熱の際、髪の毛がパーマ液で濡れている為、異様な臭いと煙が出てしかも地肌にアイロンの熱がこもり熱くなりお客様から「熱い」と言われるケースが多い為、作業者は息を吹きかけながら煙や熱を飛ばしていました。
【発明の開示】
【発明が解決しようとする課題】
【０００３】しかしながら、以上の技術によれば、作業中息を吹きかける作業は苦痛で息切れがして大変な作業です。しかもお客様との会話もありますので唾が飛んだりして不衛生です。できればマスクをして作業したい人もたくさんいます。
そこで、この発明は、ヘアーアイロン本体から空気が吹き出して熱や煙を飛ばすアイロンパーマを提供することを課題とする。
【課題を解決するための手段】
【０００４】  以上の課題を解決するために、第一発明は、空気を吹き出す為の複数の吹き出し口を設けたことを特徴とするヘアーアイロンである。また第二発明は空気を吹き出す為のファンを内蔵したことを特徴とするヘアーアイロンである。
【発明の効果】
【０００５】  第一発明、第二発明によれば、ヘアーアイロン加熱ヒーター根元から空気が吹きでるので作業者が息を吹いて煙や熱を飛ばさなくてすみ、とっても作業効率が良い。
【発明を実施するための最良の形態】
【０００６】  この発明の一実施形態を、図１に示す。
ヘアーアイロンの加熱ヒーター本体は  １  であり、髪の毛を挟んで丸める為の押さえ板  ２  が  開閉ボタン  ３  を押すことにより開き、放す事によりスプリングの力で閉まり押さえられる。そして熱くないように取っ手  ４  に付けられ、空気吹き出し用ファンのメインスイッチを  ５  とする。メインスイッチを入れておくと空気が吹き出し、開閉ボタン  ３  を押すとファン  ６  が停まり空気が吹き出さなくなる。つまり髪の毛を挟んで巻いている時だけ空気が自動に吹き出す仕組みになっている。常に吹き出していると加熱ヒーターが冷える場合もあるので自動にしました。
図２の断面図に示すように加熱ヒーター用の回路は  ９  で  空気を吹き出す為のファン  ６  モータ  ７  、そして吹き出し口  ８  となっており、先端側（Ａ矢視）から見ると根元に空気吹き出し口  ８  が見える。【０００７】「実施形態の効果」
この実施形態によれば、空気吹き出し口が邪魔にならずにしかも簡単に空気が吹き出す。
【図面の簡単な説明】
【０００８】
【図１】この発明の一実施形態を示す平面図である。
【図２】この発明の一実施形態を示す断面図である。
【図３】この発明の一実施形態を示す矢視図である。
【符号の説明】
【０００９】１  加熱ヒーター                          ２  押さえ板
３  押さえ板開閉ボタン                    ４  取っ手
５  吹き出し用スイッチ                    ６  空気吹き出し用ファン
７  ファン回転用モータ                    ８  空気吹き出し口
９  加熱ヒーター用回路
【図１】
2005177416.tif 000003
【図２】
2005177416.tif 000004
【図３】
2005177416.tif 000005
(57)【要約】      （修正有）【課題】複雑な形のものも刃が途中で止まることもなく、簡単に切ることができるカッターナイフの提供。【解決手段】安定した底板１の上に、ある程度の高さを持った脚部２からなる台座を設け、その上にカッターナイフの替え刃３を上にむけて設置し、刃が動かないように止め具４で固定する。安全のため刃にフタ５をつける。【選択図】図１
2005177414.tif 000002
【特許請求の範囲】
【請求項１】
ある程度の高さを持ち、安定した台座の上にカッターナイフの替え刃１本の刃を上にむけ、止め具で固定させたことを特徴とする固定式カッターナイフである。
【発明の詳細な説明】
【技術分野】
【０００１】  本発明は、固定したカッターナイフに関するものである。
【背景技術】
【０００２】  従来、カッターナイフは、切るものを手で固定させ、もう片方の手でカッターナイフを持ち、切っていた。
【発明の開示】
【発明が解決しようとする課題】
【０００３】  そのために次のような問題点があった。
（イ）切るものが大きいものや、平面ではなく、箱状のものであったり、凹凸のあるも        のなど形が複雑なものは、切るものが動いてしまったりして切りづらかった。
（ロ）切るとき、刃が途中で止まって動かなくなってしまうことがあった。
本発明は、これらの問題点を解決するためになされたものである。
【課題を解決するための手段】
【０００４】  ある程度の高さを持ち、安定した台座の上にカッターナイフの替え刃１本の刃を上にむけ、止め具で固定させる。以上を特徴とする固定式カッターナイフである。
【発明の効果】
【０００５】  各家庭から出る日常の燃えないゴミは、大変な量である。ゴミの減量化を考えると、少しでもゴミを減らして捨てたい。卵の容器、菓子、冷凍食品のパッケージ、果物、豆腐、野菜のプラスチック容器などこれらはそのまま捨てるととてもかさばるので、細かく切って平面的なシート状にして捨てれば、ゴミの減量化を図れる。しかし、凹凸のあるような形ばかりのため、はさみやカッターナイフでは、非常に切りづらい。この固定式カッターナイフを使えば、切りたいものの両端を持って切りたい箇所に刃をあて、上から下におろすだけで、複雑な形のものも刃が途中で止まることもなく、簡単に切ることができる。今まで、かさばったままで出していたゴミも一枚の平面的なシート状に切りそろえることが簡単になるため、燃えないゴミの量が半分以下になり、捨てやすく、ゴミの減量化を進めることができる。
【発明を実施するための最良の形態】
【０００６】  以下、本発明の実施の形態について説明する。
（イ）安定した底板（１）にある程度の高さを持った脚部（２）からなる台座の上部に        カッターナイフの替え刃（３）を上に向け、刃が動かないように止め具（４）で        固定させる。
（ロ）安全確保のため、ふた（５）をつける。
本発明は以上のような構成で、これを使用するときは、ふた（５）を開け、切るものの  両端を持ち、刃（３）にあて上から下に下ろすようにして切る。
【実施例】
【０００７】  図３，４に示すように壁（７）に固定させても良い。この場合は、壁に固定させた収納  部（６）がふたになり、使用するときは、刃（３）をひきだし、ななめに固定させた位  置で、切るものを刃にあて、上から下に下ろすようにしてきる。
【図面の簡単な説明】
【０００８】
【図１】本発明の使用時の正面図
【図２】本発明の斜視図
【図３】本発明の他の実施例を示す側面図
【図４】本発明の他の実施例を示す使用時の側面図
【符号の説明】
【０００９】１  底板
２  脚部
３  刃
４  止め具
５  ふた
６  収納部
７  壁
【図１】
2005177414.tif 000003
【図２】
2005177414.tif 000004
【図３】
2005177414.tif 000005
【図４】
2005177414.tif 000006
(57)【要約】【課題】  女性の性器に密着した生理用品とか、尿漏れパットは、手軽な使い捨ての物があるが、男性の性器に密着した物は無く、下着を汚したり、介護の時、オシメを代えるのに脚から腰迄持ち上げ、大変な重労働であったが、手軽に使い捨てのできる物を提供する。【解決手段】  高分子ポリマーの先端球状の（１）の根本から筒状のゴムの巻いた形（３）又は、シールテープの付いた半割れ筒状（３）の物を男性の性器に密着させる事を特徴とする。【選択図】図１
2005177411.tif 000002
【特許請求の範囲】
【請求項１】
男性器の形に合わせた高分子ポリマーの先端が球状の筒を作る。
【請求項２】
筒の部分にゴムを付けたり、テープで筒の径を変えて任意の大きさの筒ができるようにする。
【発明の詳細な説明】
【発明の詳細な説明】
【技術分野】
【０００１】  この発明は、男性の性器の尿漏れを衛生的に処理したり、寝たきり状態の人のオシメを代える時、介護者の負担を軽くする為の器具に関する物である。
【背景技術】
【０００２】  本来、この様な物がなく、下着に漏れた尿がそのまま付着したり、介護の時、腰から下を持ち上げてオシメを交換していた為、介護者の負担も大きく重労働であった
【特許文献１】
【０００３】
【発明の開示】
【発明が解決しようとする課題】
【０００４】  女性の場合、下着を汚さない様、生理用品があったり、尿漏れ対策パットがあったり、使い捨ての手軽な物があるが、男性用では、今まで無く、下着を汚して不快な思いをしたり、介護者が重労働をしたりしていたが、本発明は、以上のような欠点をなくすために考案されたものである。
【課題を解決する為の手段】
【０００５】  高分子ポリマーで、先端が球状の形（１）を作り、その根本から筒状でゴムの巻いた物（２）とか、シールテープの付いた筒の割れた形（３）を作る。
【発明の効果】
【０００６】  本発明は、男性の性器に密着させ、高分子ポリマーとゴムの伸縮性により男性器の変化に対応でき、尿漏れ等の後、本発明品を取り替える事で、常に清潔で衛生的な状態を保つ事ができ、又、介護者の労力を軽減できる画期的な発明と、思われる。
【発明を実施するための最良の形態】
【０００７】  以下、本発明の実施の形態について説明する。
高分子ポリマーで、伸縮性がよく、吸水率が高く、保水性の高い先端形状が球状（１）で、その根本にゴムの入った筒状（２）とか、シールテープの付いた半割れの筒状（３）の物を、男性の性器に密着させる。その上に下着を付けたり、オシメをする。
本発明は、以上のような構造である。
【図面の簡単な説明】
【０００８】
【図１】  本発明の立体図である。
【図２】  本発明の立体図である。
【符号の説明】
【０００９】１  球状
２  筒状ゴム付き
３  筒状半割りシール付き
【図１】
2005177411.tif 000003
【図２】
2005177411.tif 000004
(57)【要約】【課題】  冬場老人の浴室内でのトラブルを減少させるのが課題である。【解決手段】  湯たんぽ又は蓄熱材を熱源として使用し、充熱後に使用条件の悪い中で、入浴中の保温効果を、２〜３時間持続させようとするものである。【選択図】  図３
2005177413.tif 000002
【特許請求の範囲】
【請求項１】
軽く水捌けの良い樹脂により形成せる、浴室用椅子１の内部に湯たんぽ４を内蔵させたる、保温椅子。
【請求項２】
軽く水捌けの良い樹脂により形成せる、浴室用椅子１の内部に、パイプヒーター８を内蔵せる蓄熱材６を設けたる、保温椅子。
【請求項３】
軽く水捌けの良い樹脂により形成せる、浴室用床マット９の内部に、パイプヒーター８を内蔵した蓄熱材６を設けたる、浴室保温マット。
【発明の詳細な説明】
【技術分野】
【０００１】  冬場老人の浴室内での事故を防止する目的の、湯及び蓄熱材を使用した浴室内での保温に関し、先願の特願平１１−３５３４７２・特開２００１−１３２９６８「浴室暖房」の改良に関するものである。
【背景技術】
【０００２】  老人の増加で浴室及びトイレ等、冷える場所で冬場老人事故が増加している、対策として、トイレにはトイレ用暖房及び便座保温等が製品化され、浴室には浴室暖房が製品化されているが、この浴室暖房は天井から温風が吹出す構造で、入浴中に使用すると、頭上からの温風で快適では無い。【０００３】  先願の特願平１１−３５３４７２は、浴室マット及び浴室用椅子の内部に、蓄熱材と蓄熱材加熱用ヒーターとを内蔵したものであるが、これに対して本発明のものは、蓄熱材の内部にパイプヒーターを内蔵させ、直接蓄熱材を加熱充熱することで、高効率を可能としたものである。
【発明の開示】
【発明が解決しょうとする課題】
【０００４】  本発明が解決しょうとする課題は、冬場浴室内の冷えた床は老人の素足にはショックが大きく、防止用として、床に使用するマットは色々と製品化されているが、一度マット表面が濡れそれが冷えた時、老人の素足には冷えた床と同じようにショックが大きい、これを解決しょうとするものである。
【課題を解決するための手段】
【０００５】  この課題を解決するための手段として、本発明のものは、軽くて水捌けの良い形状の樹脂により形成せる浴室用椅子内部に、湯たんぽ又は蓄熱材を内蔵させ、その充熱温度により、一定時間保温させようとするものである。
【発明の効果】
【０００６】  発明の効果としては、冬場老人の入浴時に多発する、温度差及び寒さによるトラブルの防止効果が期待出来る。
【発明を実施するための最良の形態】
【０００７】  蓄熱材のように充熱後に使用するタイプは、充熱後の蓄熱材を保温効果の有る布等でくるむか、あんかのように、保温効果の高い布団の中で使用するのが効果的であるが、冬場の浴室内では保温効果の高いものでくるむ等不可能である、このような悪い条件下での使用なので、普通入浴時間の２〜３時間保温持続を目的にテストした。  今回のテストではこのような悪い条件で３０℃での保温持続が可能であった、この温度は老人の素足にショックを与えることはない。
【実施例】
【０００８】  図によりその実施例を説明すれば、図１に図示せるものは、古くから知られている湯たんぽ４を利用した保温で、湯たんぽ４の容器には１１０℃耐熱のＰＥ樹脂を使用、浴室椅子１は軽く水はけの良いＥＶＡ樹脂により形成した、湯たんぽ４の栓５は邪魔にならない椅子１の下部に設けた。【０００９】  この湯たんぽタイプのテストは、浴室内温度１７，６℃、湿度８２％、浴室床面温度１４，３℃の条件にて実施、図４のグラフのように椅子上面３０℃で２時間、保温効果が持続出来た。【００１０】  図２は蓄熱材６使用のもので、蓄熱材６の容器にはＰＥ耐熱樹脂又は金属により形成する、この蓄熱材６の内部にパイプヒーター８を内蔵させ、直接蓄熱材６を加熱充熱する、又浴室での使用なので電源接続部は充熱後、防水栓７により完全防水する、この場合もＥＶＡ樹脂により浴室椅子１を形成した。【００１１】  蓄熱材６でのテストは、浴室内温度１８，０℃、湿度８０％、浴室内床面温度１８，９℃、保温前の椅子１上面温度１８，９℃の条件で実施した、図５はそのテスト記録で、椅子１上面３０℃の保温効果を３時間持続出来た。【００１２】  図３に図示せるものは、蓄熱材６による浴室保温マット９に関するもので、マット９の場合もＥＶＡ樹脂により形成する、マット９は椅子１を大きく広げた感じで、これはテスト出来なかったが、保温効果は椅子１の場合と大差が無いと考へられる。【００１３】  今回テストには融点７１〜７１，５℃のステアリン酸を、厚さ１０は１３ｍｍ使用、この蓄熱材６の保温時間を延長させるには、蓄熱材６の厚さ１０を増加すれば良く、保温温度を３０℃以上にするには、椅子１及びマット９の上面２の樹脂の厚さを薄くすれば良い、しかし３０℃あれば、老人の素足にショックを与えることはない、この保温容器を内蔵する椅子１及びマット９の、上面２以外の箇所の内面に金属箔３を張付けるのは、保温持続効果を狙ったものである。
【産業上の利用可能性】
【００１４】  使用時はコードレスとし、安心して使用可能であり、冬場老人の浴室でのトラブルを減少させる効果を、充分期待出来るものである。
【図面の簡単な説明】
【００１５】
【図１】  湯たんぽタイプの浴室用椅子の断面図を示すものである
【図２】  蓄熱材使用の浴室用椅子の断面図を示すものである
【図３】  蓄熱材使用の浴室床用保温マットを示すものである。
【図４】  湯たんぽ式の保温特性
【図５】  蓄熱材式の保温特性
【符号の説明】
【００１６】１  浴室用椅子
２  椅子の肌に接触する面
３  保温金属箔
４  湯たんぽ
５  湯たんぽの蓋
６  蓄熱材
７  防水栓
８  蓄熱材に内蔵したパイプヒーター
９  浴室マット
１０  蓄熱材の厚み
【図１】
2005177413.tif 000003
【図２】
2005177413.tif 000004
【図３】
2005177413.tif 000005
【図４】
2005177413.tif 000006
【図５】
2005177413.tif 000007
(57)【要約】      （修正有）【課題】高齢化に伴う足腰の衰えや、脳梗塞等の後遺症から足をスムースに上げることが困難になった人の為に、足をスムースに上げることが出来るように補助し、且つ足の衰えを防止する歩行補助装具を提供する。【解決手段】装着具１と装着具２にトーションバネおよびコイルバネを取り付けた歩行補助装具を腰と大腿部の屈折部に装着することにより、バネの特性（元に戻る力）を利用して足を上げようとする僅かな力で足を上げることが出来るようにした。【選択図】図２
2005177420.tif 000002
【特許請求の範囲】
【請求項１】
左右の腰と大腿部に密着させた、屈折する装着具に図４のようにバネを取り付け、足を下げる時にバネを伸ばし、足を上げる時にバネが元に戻るバネの特性を利用して、足がスムースに上がるようにした歩行補助具。
【発明の詳細な説明】
【発明の詳細な説明】
【技術分野】
【０００１】  バネを内蔵した歩行補助装具を腰と大腿部に密着・装着することによりバネの特性を利用して歩行を容易にする歩行補助装具に関するものである。
【背景技術】
【０００２】  身体障害者や要介護者の為の車椅子、電動車椅子、センサーつき歩行補助具など高額機器の開発はなされている。しかし、益々増加する健常者の高齢化に伴う下肢の劣化による歩行困難者向けの歩行補助具の開発は杖以外には見受けられない。そこで、バネ等の安価な材料を使用して簡単に取りつけられて安価に提供出来る歩行補助装具の開発を進めた。
【発明の開示】
【発明が解決しようとする課題】
【０００３】  従来、身体障害者向けの車椅子や下肢装着具等の開発や、歩行困難な人の為の歩行補助具（杖等）の開発は見うけられるが、健常者でありながら高齢化に伴う下肢の衰えにより、思うように足が上がらなくなった人々の為の歩行補助装着具の開発はなかった。足が思うように上がらずに僅かな段差にも躓き、転んで寝たきりになって介護が必要になるケースが増加している。今後、益々増加する高齢者の、鈍くなった下肢の動きを補助して歩き易くし、転ぶことを防止して、医療費、介護費用の増大を阻止する事を狙いとする。また、車椅子等の使用は動きの鈍くなった下肢が益々退化するので、出来るだけ自分の意思で歩行する事が出来るようにこの歩行補助装具で支援するものである。
【課題を解決するための手段】
【０００４】  歩行補助装具の関節に平行する屈折部の装着具にバネを挿入し、足を下ろす時はバネの元の状態に反する動作となり、足の筋力を増強することになる。足を上げる時はバネの元に戻る動作となる為、足を上げようとする僅かな力で足をスムースに上げることが判った。
【発明の効果】
【０００５】  発明はバネの特性を利用した歩行補助装具を健常者でありながら高齢化に伴う下肢の衰えや、脳梗塞等の病気で、思うように足が上がらなくなった方が装着することにより、足を上げようとする僅かな力でも足をスムースに上げることが出来る。
【発明を実施する為の形態】
【０００６】  イ、  図４の如くａ、ｂに▲７▼のトーションバネを取り付け、ｃ、ｄに▲８▼のコイルバネを取り付ける。
ロ、  図２の如く▲５▼を背に当て、▲１▼▲２▼を組み合わせた装着具（主部）を身体に密着させるようにして▲３▼のイ、ロを通したベルトを腰の前部で絞めて固定する。同様にハ、ニを通したベルトを、また、ホ、ヘを通したベルトを大腿部上部に夫々絞めて固定する。  同時にト、チを通したベルト及びリ、ヌを通したベルトを大腿部下部に絞めて固定する。
【図面の簡単な説明】
【０００７】
【図１】本発明の斜視図（ベルトを除く）
【図２】本発明の装着図
【図３】本発明の部品図
【図４】本発明の装着具（主部）の内面図  バネを取り付けた元の状態（足を上げた状態）
【図５】本発明の装着具（主部）の内面図  バネを伸ばした状態（足を下げた状態）
【符号の説明】
【０００８】  ▲１▼、装着具（主部の下）トーションバネ、コイルバネ取り付け具
▲２▼、装着具（主部の上）トーションバネ、コイルバネ取り付け具
▲３▼、前面（腹部）ベルト通し具
▲４▼、大腿部裏当て（添え）具
▲５▼、背当て具
▲６▼、▲１▼▲２▼のカバー
▲７▼、トーションバネ
▲８▼、コイルバネ
ａ、ｂ、トーションバネ差込溝
ｃ、ｄ、コイルバネ留め具
ｅ、大腿裏部添具の長さ調整穴
ｆ、ベルト通し穴
ｇ、▲３▼前面（腹部）ベルト通し具の取り付け個所
（装着用のベルトの記載は除きます。）
【図１】
2005177420.tif 000003
【図２】
2005177420.tif 000004
【図３】
2005177420.tif 000005
【図４】
2005177420.tif 000006
【図５】
2005177420.tif 000007
(57)【要約】【課題】  充熱効率を良くするのと、充熱後の蓄熱材を効率良くコードレスとして使用するのが課題である。【解決手段】  蓄熱材容器内部に充熱用パイプヒーターを内臓させ、電源部を着脱自在とし、充熱後の蓄熱材容器を、使用面以外の内面に金属箔を有する袋に入れて使用する。【選択図】  図１
2005177412.tif 000002
【特許請求の範囲】
【請求項１】
蓄熱材２を入れる容器１内部に、パイプヒーター３を電源との接続部４に接続、ヒーター３の先端を保持部５により、安定固定するように設置してなる、蓄熱材の充熱容器。
【請求項２】
蓄熱材２の容器１を、１１０℃以上の耐熱樹脂又は金属により形成し、パイプヒーター３の保持部５を耐熱樹脂又は陶器により形成してなる、蓄熱材の充熱容器。
【請求項３】
充熱後の蓄熱材２を効率良く使用する目的にて、使用面１０の袋の内面に金属箔８の無い部分、使用面以外９の袋の内面には金属箔８を張付けてなる、充熱後の蓄熱材容器７を入れて使用する保温袋。
【発明の詳細な説明】
【技術分野】
【０００１】  蓄熱材を使用した保温及び温熱治療等に使用する、手軽に蓄熱材を充熱使用可能な容器に関し、本技術分野は先願の特願２０００−７３１１９・特開２００１−２１８６８３「蓄熱材による保温」の改良に関するものである。
【背景技術】
【０００２】  従来より蓄熱材を熱源とした床下暖房等が色々と製品化され、電力料金の安い夜間ヒーターにより、蓄熱材容器の外部から蓄熱材を、加熱充熱する方法が使用されている。【０００３】  先願の特願２０００−７３１１９は、耐熱袋に入れた蓄熱材とヒーターを組み合わせ、加熱充熱し充熱後にコードレスとして使用するものであるが、本技術は蓄熱材に直接パイブヒーターを内臓させ、短高効率にて加熱充熱しようとするものである。
【発明の開示】
【発明が解決しょうとする課題】
【０００４】  本発明が解決しょうとする課題は、蓄熱材容器外よりの充熱のように間接タイプで無く、より効率の良い充熱方法を開発するのが課題である。
【課題を解決するための手段】
【０００５】  この課題を解決するための手段として、本発明のものは、パイプヒーターを蓄熱材に内臓させ、直接蓄熱材を加熱充熱する手段を取るものである。
【発明の効果】
【０００６】  発明の効果としては、効率良く蓄熱材の加熱充熱を可能としたものである。
【発明を実施するための最良の形態】
【０００６】  ヒーターへの通電コードを着脱式とし、使用時にはコードレスタイプとして使用するもので、温熱治療の他、冬場の浴室保温に、ポットに、その他種々な応用面が考えられる。
【実施例】
【０００７】  図によりその実施例を説明すれば、図１に図示せるものは、本発明の充熱容器１を示すもので、容器１の材質には、１１０℃以上の耐熱樹脂又は金属により形成する、図の４は着脱自在の電源接続部で、この箇所にパイプヒーター３を取り付け、その先端部をヒーター保持部５にて固定させる、この保持部５は耐熱樹脂又は陶器により形成する、このようなヒーター３を有する容器１内に蓄熱材２を充填使用するものである。【０００８】  今電源接続部４に電源コードを接続し、パイプヒーター３に通電することによりヒーター３は発熱し、蓄熱材２を加熱して充熱し、蓄熱材２を固体から液状化させる、この場合は直接蓄熱材２をヒーター３により加熱するので、非常に効率良く充熱することが出来、充熱後は電源コードを外すことでコードレスとして使用可能で、充熱後は本発明の保温袋に入れて使用する。【０００９】  蓄熱材２の充熱時間を短縮したい場合には、使用するヒーター３のＷ数を大きくすれば良く、又蓄熱材２の保温時間を延ばすには、図２に図示せるように、使用する蓄熱材２の厚み６を増やせば良い。【００１０】  充熱後の蓄熱材２を効率良く使用する目的にて、保温袋に入れて使用するが、効率を最大限良くするために、袋の使用面１０はそのままに、袋の他の箇所の内面に金属箔８を張付けることにより、保温時間を少しでも延長出来るものである。
【産業上の利用可能性】
【００１１】  蓄熱材によるコードレス温熱治療に、老人の冬場浴室でのトラブルを防止する目的の安全保温に、保温機能を有するポット等の省エネ保温に、その他コーヒーのコップ、燗酒徳利に内蔵する事で、コーヒー及び燗酒の冷めるのを防止する等、種々利用の可能性が考えられる。
【図面の簡単な説明】
【００１２】
【図１】  容器の平面断面図を示すものである
【図２】  容器の側面断面図を示すものである
【図３】  本容器を入れて使用する保温袋の断面図である
【符号の説明】
【００１３】１  容器
２  蓄熱材
３  パイプヒーター
４  電源接続部
５  ヒーター保持部
６  蓄熱材の厚み
７  蓄熱材保温部
８  アルミ等の金属箔
９  内部に金属箔を有する保温袋
１０  内部に金属箔の無い保温袋
１１  マジックジッパ
１２  マジックジッパ
【図１】
2005177412.tif 000003
【図２】
2005177412.tif 000004
【図３】
2005177412.tif 000005
(57)【要約】【課題】オゾンの性質をハンドドライヤーに応用して手の乾燥と同時に生成されたオゾンで手に付着した雑菌やウイルスを殺菌、消毒する機能を設けることが本発明の最も主要とする課題である。【解決手段】送風機より通風路（４）を介して送出される空気あるいは、温空気を紫外線ランプ（７）より放射される紫外線によって、通風路（４）内の空気中あるいは温空気中の雑菌やウイルスを殺菌すると同時にオゾンを生成し、送出することで手差込口（１）より差し込まれた手を乾燥させると同時に、空気中あるいは温空気中に生成されたオゾンによって手の殺菌及び、消毒を行えるようにした。【選択図】図１
2005177415.tif 000002
【特許請求の範囲】
【請求項１】
送風機より通風路（４）を介して送出される空気あるいは、温空気を紫外線ランプ（７）より放射される紫外線によって、通風路（４）内の空気中あるいは温空気中にオゾンを生成し、送出することで手差込口（１）より差し込まれた手を乾燥させると同時に、空気中あるいは温空気中に生成されたオゾンによって手の殺菌及び、消毒を行えるようしたことを特徴とする、オゾンによる殺菌、消毒作用を設けたハンドドライヤー。
【発明の詳細な説明】
【技術分野】
【０００１】本発明はハンドドライヤーに関する技術分野であり、詳しくはオゾンの性質を応用して手の乾燥と同時に、殺菌及び、消毒を行えるようにしたハンドドライヤーに関するものである。
【背景技術】
【０００２】背景技術に於いては、大衆洗面所などに設置されている手を水で洗浄した際に、濡れた手を乾燥させるハンドドライヤーは広く利用されており、周知の通りである。【０００３】ハンドドライヤーは、濡れた手を乾燥させることに於いては便利な装置であるが乾燥時に使用する送風は、洗面所や便所の空気であり、そこに存在する雑菌やウイルスを集めて乾燥時に手にあてている可能性が多く、衛生的にみると大きな疑問点が見える。【０００４】また本体に抗菌加工を施したハンドドライヤーは多く見られるが、手を殺菌、消毒する機能を設けた装置は見当たらなかった。
【発明の開示】
【発明が解決しようとする課題】
【０００５】解決しようとする課題としては背景技術で述べた通り、現在広く利用されているハンドドライヤーは多くがフィルターを介して周辺の空気を吸気されているものであり、空気中に存在する雑菌やウイルスは除去されずに手にあてている可能性が大きいことである。
【課題を解決しようとする課題】
【０００６】上記の課題を解決するために、本発明のオゾンによる殺菌、消毒作用を設けたハンドドライヤーについて説明する。
【０００７】ハンドドライヤー内部に設けられた送風機より、周辺の空気を吸気し、通風路（４）に送出されると、通風路（４）内に設けた紫外線ランプ（７）の放射する紫外線によって通風路（４）内の空気中に含まれる雑菌やウイルスを殺菌すると同時に、空気中にオゾンを生成する。
【０００８】オゾンは酸化力の強い気体であり、その酸化力を利用して殺菌、消臭、漂白などの分野で応用されるものである、その性質をハンドドライヤーに応用して手の乾燥と同時に空気中に生成されたオゾンで手に付着した雑菌やウイルスを殺菌、消毒する機能を設けたことが本発明の最も主要とする特徴である。
【発明の効果】
【０００９】本発明のオゾンによる殺菌、消毒作用を設けたハンドドライヤーは単に手を乾燥させるための装置としてだけでなく、殺菌及び、消毒作用を持たせることで、利便性が多様となり、衛生関係や医療関係の業務に携わる人の手を容易に殺菌、消毒することが出来るようになり、多くの業務に貢献することが可能である。
【発明を実施するための最良の形態】
【００１０】本発明のオゾンによる殺菌、消毒作用を設けたハンドドライヤーの実施の形態について図面を参照して説明する。
【実施例１】
【００１１】図１に記載する実施例は、本発明のハンドドライヤーの通風路（４）内を記した拡大断面図である。【００１２】手差込口（１）に手を差し込むとセンサー（２）が感知し、ハンドドライヤー内部に設けられた送風機より、周辺の空気を吸気し、通風路（４）に送出される。【００１３】通風路（４）に送出された空気は、通風路（４）内に設けた紫外線ランプ（７）の放射する紫外線によって通風路（４）内の空気中に含まれる雑菌やウイルスを殺菌すると同時に、空気中にオゾンを生成する。【００１４】手の乾燥と同時に空気中に生成されたオゾンで手に付着した雑菌やウイルスを殺菌、消毒する機能を設けたことが本発明の最も主要とする特徴であり、単に手を乾燥させるための装置としてだけでなく、殺菌及び、消毒作用を持たせることで、利便性が多様となる。
【産業上の利用可能性】
【００１５】発明の効果で述べた通り、本発明のオゾンによる殺菌、消毒作用を設けたハンドドライヤーは、単に手を乾燥させるための装置としてだけでなく、殺菌及び、消毒をする機能を設けることで利便性が多様となり、衛生関係や医療関係の業務に携わる人の手を容易にかつ、効果的に殺菌、消毒することが出来るようになり、多くの業務に貢献することが可能である。
【図面の簡単な説明】
【００１６】
【図１】本発明のハンドドライヤーの通風路（４）内を記した拡大断面図である。
【符号の説明】
【００１７】１    手差込口
２    センサー
３    表示ランプ
４    通風路
５    ランプ
６    ガラス窓
７    紫外線ランプ
８    フタ
【図１】
2005177415.tif 000003